(57)【要約】【課題】距離継電装置、距離継電処理システム及び距離継電処理方法を提供する。【解決手段】本発明による距離継電を制御する距離継電処理システムは、落雷感知器から提供される落雷感知情報を用いて落雷統合情報を生成する落雷管理装置と、送電線路の故障位置を判断して故障発生情報を生成し、故障発生情報及び落雷統合情報を用いて故障分析情報を生成する距離継電装置と、を含む。【選択図】図１
2011078303.tif 000002
【特許請求の範囲】
【請求項１】
距離継電を制御する距離継電処理システムであって、
落雷感知器から提供される落雷感知情報を用いて落雷統合情報を生成する落雷管理装置と、
送電線路の故障位置を判断して故障発生情報を生成し、前記故障発生情報及び前記落雷統合情報を用いて故障分析情報を生成する距離継電装置と、
を含むことを特徴とする距離継電処理システム。
【請求項２】
前記距離継電装置は、
前記故障発生情報と前記落雷統合情報とを比較して誤差値を生成し、前記故障発生情報から前記誤差値を除去して前記故障分析情報を生成することを特徴とする請求項１に記載の距離継電処理システム。
【請求項３】
前記距離継電装置は、
複数の継電器のうち、前記送電線路の故障位置を判断した少なくとも一つの前記継電器から提供される距離値を分析して前記故障発生情報を生成することを特徴とする請求項１または請求項２に記載の距離継電処理システム。
【請求項４】
前記落雷統合情報は、落雷発生時間情報、落雷発生位置情報及び落雷電流の大きさ情報のうちの少なくとも一つを含むことを特徴とする請求項１から請求項３までのいずれか１項に記載の距離継電処理システム。
【請求項５】
前記故障発生情報は、送電故障時間情報及び送電故障位置情報のうちの少なくとも一つを含むことを特徴とする請求項１から請求項４までのいずれか１項に記載の距離継電処理システム。
【請求項６】
前記落雷管理装置は、
複数の落雷感知器のうち、落雷を感知した少なくとも一つの前記落雷感知器から提供される前記落雷感知情報を分析して前記落雷統合情報を生成することを特徴とする請求項１から請求項５までのいずれか１項に記載の距離継電処理システム。
【請求項７】
前記落雷管理装置は、
前記落雷統合情報を伝送時間ごとに前記距離継電装置に伝送し、
前記伝送時間は、前記落雷統合情報を前記距離継電装置に伝送する時間であって前記落雷管理装置にて設定されることを特徴とする請求項１から請求項６までのいずれか１項に記載の距離継電処理システム。
【請求項８】
落雷管理装置に接続する距離継電装置であって、
送電線路の故障位置を判断する継電器と、
前記継電器で判断した結果を用いて故障発生情報を生成する生成部と、
前記落雷管理装置から受信された落雷統合情報と前記故障発生情報とを用いて故障分析情報を生成する分析部と、
を含むことを特徴とする距離継電装置。
【請求項９】
前記分析部は、
前記故障発生情報と前記落雷統合情報を比較して誤差値を生成し、前記故障発生情報から前記誤差値を除去して前記故障分析情報を生成することを特徴とする請求項８に記載の距離継電装置。
【請求項１０】
前記生成部は、
複数の継電器のうち、送電線路の故障位置を判断した少なくとも一つの前記継電器から提供される距離値を分析して前記故障発生情報を生成することを特徴とする請求項８または請求項９に記載の距離継電装置。
【請求項１１】
前記故障分析情報を表示する表示部をさらに含むことを特徴とする請求項８から請求項１０までのいずれか１項に記載の距離継電装置。
【請求項１２】
前記落雷統合情報は、落雷発生時間情報、落雷発生位置情報及び落雷電流の大きさ情報のうちの少なくとも一つを含み、
前記故障発生情報は、送電故障時間情報及び送電故障位置情報のうちの少なくとも一つを含むことを特徴とする請求項８から請求項１１までのいずれか１項に記載の距離継電装置。
【請求項１３】
距離継電処理システムが距離継電を制御する方法であって、
送電線路の故障位置を判断して故障発生情報を生成するステップと、
落雷感知器から提供される落雷感知情報を用いて落雷統合情報を生成するステップと、
前記故障発生情報及び前記落雷統合情報を用いて故障分析情報を生成するステップと、
を含むことを特徴とする距離継電処理方法。
【請求項１４】
前記故障発生情報及び前記落雷統合情報を用いて故障分析情報を生成するステップは、
前記故障発生情報及び前記落雷統合情報を比較して誤差値を生成するステップと、
前記故障発生情報から前記誤差値を除去して前記故障分析情報を生成するステップと、
を含むことを特徴とする請求項１３に記載の距離継電処理方法。
【請求項１５】
前記送電線路の故障位置を判断して故障発生情報を生成するステップは、
複数の継電器のうち、前記送電線路の故障位置を判断した少なくとも一つの継電器から距離値の提供を受けるステップと、
前記距離値を分析して前記故障発生情報を生成するステップと、を含むことを特徴とする請求項１３または請求項１４に記載の距離継電処理方法。
【請求項１６】
前記落雷感知器から提供される落雷感知情報を用いて落雷統合情報を生成するステップは、
複数の落雷感知器中、落雷を感知した少なくとも一つの前記落雷感知器のそれぞれから提供される前記落雷感知情報を分析して前記落雷統合情報を生成するステップであることを特徴とする請求項１３から請求項１５までのいずれか１項に記載の距離継電処理方法。
【請求項１７】
前記落雷統合情報は、落雷発生時間情報、落雷発生位置情報及び落雷電流の大きさ情報のうちの少なくとも一つを含むことを特徴とする請求項１３から請求項１６までのいずれか１項に記載の距離継電処理方法。
【請求項１８】
前記故障発生情報は、送電故障時間情報及び送電故障位置情報のうちの少なくとも一つを含むことを特徴とする請求項１３から請求項１７までのいずれか１項に記載の距離継電処理方法。
【請求項１９】
請求項１３から請求項１８までのいずれか１項に記載の距離継電処理システムで実行可能な命令語が具体化されて距離継電処理システムにより読み取りできるプログラムが記録された記録媒体。
【発明の詳細な説明】
【技術分野】
【０００１】
本発明は、距離継電装置に関し、詳細には、落雷データを用いた距離継電装置、距離継電処理システム及び距離継電処理方法に関する。
【背景技術】
【０００２】
近年、産業経済の急激な成長により、電力需要はますます増大しており、夏季ピーク時の電力消耗は電力供給設備の総供給量と略同一となっている。このため、国家レベルの国民の協力が要請されている。さらに、最近、都市への急激な人口集中や、各種小規模の産業体、大型ビル、アパート団地などの大型化に伴う電気エネルギーの消費が急激に増加して、都心への大容量の送電が行われている。このため、地中送電線路及び架空と地中の混合された混合送電線路の建設が急速に増大している。
【０００３】
このような送電線路において、地絡、落雷などによる事故が発生した場合には、故障区間を遮断する継電装置が用いられている。
【０００４】
継電装置は、電力系統が大規模化、複雑化されるに従い、送電線路を保護するための、マイクロプロセッサを利用したデジタル継電装置が実用化されることになり、従来のアナログ保護継電装置ではなし得なかった多様で複雑な技術を実現できるようになった。
【０００５】
様々な送電線路保護装置の中で、最も広く用いられている距離継電装置は、予め定められた電気量または物理量により動作し、接点を開閉することにより電気回路を制御する。具体的に、距離継電装置は、送電線路に短絡や接地故障などが発生した場合あるいは絶縁破壊や電線の他の部分に悪影響を及ぼす異常運転が発生した場合に、その問題となった部分を迅速に遮断する。
【０００６】
しかし、従来の距離継電装置は、送電線路に落雷により故障が発生した場合にその故障位置を迅速に把握及び復旧することが必要であるが、位置ずれにより故障位置を正確に判断することができなかった。
【発明の概要】
【発明が解決しようとする課題】
【０００７】
本発明は、こうした従来技術の問題点に鑑みてなされたものであり、落雷データを用いて、故障した送電線路の位置を判断する距離継電装置、距離継電処理システム及び距離継電処理方法を提供することを目的とする。
【０００８】
本発明の他の目的は、故障した送電線路の位置を正確で迅速に判断できる距離継電装置、距離継電処理システム及び距離継電処理方法を提供することにある。
【０００９】
本発明のまた他の目的は、故障した送電線路の位置に対する位置ずれを最小化できる距離継電装置、距離継電処理システム及び距離継電処理方法を提供することにある。
【課題を解決するための手段】
【００１０】
本発明の一実施形態によれば、距離継電を制御する距離継電処理システムが提供される。
【００１１】
本発明の一実施形態によれば、距離継電を制御する距離継電処理システムは、落雷感知器から提供される落雷感知情報を用いて落雷統合情報を生成する落雷管理装置と、送電線路の故障位置を判断して故障発生情報を生成し、上記故障発生情報及び上記落雷統合情報を用いて故障分析情報を生成する距離継電装置と、を含む。
【００１２】
また、上記距離継電装置は、上記故障発生情報と上記落雷統合情報とを比較して誤差値を生成し、上記故障発生情報から上記誤差値を除去して上記故障分析情報を生成する。
【００１３】
また、上記距離継電装置は、複数の継電器のうち、上記送電線路の故障位置を判断した少なくとも一つの上記継電器から提供される距離値を分析して上記故障発生情報を生成する。
【００１４】
また、上記落雷統合情報は、落雷発生時間情報、落雷発生位置情報及び落雷電流の大きさ情報のうちの少なくとも一つを含む。
【００１５】
また、上記故障発生情報は、送電故障時間情報及び送電故障位置情報のうちの少なくとも一つを含む。
【００１６】
上記落雷管理装置は、複数の落雷感知器のうち、落雷を感知した少なくとも一つの上記落雷感知器から提供される上記落雷感知情報を分析して上記落雷統合情報を生成する。
【００１７】
また、上記落雷管理装置は、上記落雷統合情報を伝送時間ごとに上記距離継電装置に伝送する。ここで、上記伝送時間とは上記落雷統合情報を上記距離継電装置へ伝送する時間であって上記落雷管理装置にて設定される。
【００１８】
本発明の他の実施形態によれば、落雷管理装置に接続される距離継電装置が提供される。
【００１９】
本発明の一実施形態によれば、落雷管理装置に接続される距離継電装置であって、送電線路の故障位置を判断する継電器と、上記継電器で判断した結果を用いて故障発生情報を生成する生成部と、上記落雷管理装置から受信した落雷統合情報及び上記故障発生情報を用いて故障分析情報を生成する分析部と、を含むことを特徴とする距離継電装置が提供される。
【００２０】
また、上記分析部は、上記故障発生情報と上記落雷統合情報とを比較して誤差値を生成し、上記故障発生情報から上記誤差値を除去して上記故障分析情報を生成する。
【００２１】
また、上記生成部は、複数の継電器のうち、送電線路の故障位置を判断した少なくとも一つの上記継電器から提供される距離値を分析して上記故障発生情報を生成する。
【００２２】
また、上記距離継電装置は、上記故障分析情報を表示する表示部をさらに含む。
【００２３】
また、上記落雷統合情報は、落雷発生時間情報、落雷発生位置情報及び落雷電流の大きさ情報のうちの少なくとも一つを含み、上記故障発生情報は、送電故障時間情報及び送電故障位置情報のうちの少なくとも一つを含む。
【００２４】
本発明のまた他の一実施形態によれば、距離継電処理システムが距離継電を制御する方法が提供される。
【００２５】
本発明の一実施形態によれば、距離継電処理システムが距離継電を制御する方法であって、送電線路の故障位置を判断して故障発生情報を生成するステップと、落雷感知器から提供される落雷感知情報を用いて落雷統合情報を生成するステップと、上記故障発生情報及び上記落雷統合情報を用いて故障分析情報を生成するステップと、を含むことを特徴とする距離継電処理方法が提供される。
【００２６】
また、上記故障発生情報及び上記落雷統合情報を用いて故障分析情報を生成するステップは、上記故障発生情報及び上記落雷統合情報を比較して誤差値を生成するステップと、上記故障発生情報から上記誤差値を除去して上記故障分析情報を生成するステップとを含む。
【００２７】
また、上記送電線路の故障位置を判断して故障発生情報を生成するステップは、複数の継電器のうち、上記送電線路の故障位置を判断した少なくとも一つの継電器から距離値を提供されるステップと、上記距離値を分析して上記故障発生情報を生成するステップとを含む。
【００２８】
また、上記落雷感知器から提供される落雷感知情報を用いて落雷統合情報を生成するステップは、複数の落雷感知器のうち、落雷を感知した少なくとも一つの上記落雷感知器から提供される上記落雷感知情報を分析して上記落雷統合情報を生成するステップであってもよい。
【００２９】
また、上記落雷統合情報は、落雷発生時間情報、落雷発生位置情報及び落雷電流の大きさ情報のうちの少なくとも一つを含む。
【００３０】
また、上記故障発生情報は、送電故障時間情報及び送電故障位置情報のうちの少なくとも一つを含む。
【発明の効果】
【００３１】
本発明による距離継電装置、距離継電処理システム及び距離継電処理方法によれば、落雷データを用いて故障した送電線路の位置を判断することができる。
【００３２】
本発明による距離継電装置、距離継電処理システム及び距離継電処理方法によれば、故障した送電線路の位置を迅速で正確に判断することができる。
【００３３】
本発明による距離継電装置、距離継電処理システム及び距離継電処理方法によれば、故障した送電線路の位置ずれを最小化することができる。
【図面の簡単な説明】
【００３４】
【図１】本発明の一実施形態による距離継電処理システムを簡略に示すブロック図である。
【図２】本発明の一実施形態による距離継電処理システムの落雷管理装置を示すブロック図である。
【図３】本発明の一実施形態による距離継電処理システムの距離継電装置を示すブロック図である。
【図４】本発明の一実施形態による距離継電処理方法を簡略に示すフローチャートである。
【図５】本発明の一実施形態による距離継電処理方法を詳細に示すフローチャートである。
【図６】本発明の一実施形態による距離継電処理システムの落雷感知器及び継電器を示す例示図である。
【発明を実施するための形態】
【００３５】
本発明は多様な変換を加えることができ、様々な実施形態を有することができるため、本願では特定実施形態を図面に例示し、詳細に説明する。しかし、これは本発明を特定の実施形態に限定するものではなく、本発明の思想及び技術範囲に含まれるあらゆる変換、均等物及び代替物を含むものとして理解されるべきである。本発明を説明するに当たって、係る公知技術に対する具体的な説明が本発明の要旨をかえって不明にすると判断される場合、その詳細な説明を省略する。
【００３６】
「第１」、「第２」などの用語は、多様な構成要素を説明するために用いられるに過ぎず、構成要素がそれらの用語により限定されるものではない。それらの用語は一つの構成要素を他の構成要素から区別する目的だけに用いられる。
【００３７】
本願で用いた用語は、ただ特定の実施形態を説明するために用いたものであって、本発明を限定するものではない。単数の表現は、文の中で明らかに表現しない限り、複数の表現を含む。本願において、「含む」または「有する」などの用語は明細書上に記載された特徴、数字、ステップ、動作、構成要素、部品、またはこれらを組合せたものの存在を指定するものであって、一つまたはそれ以上の他の特徴や数字、ステップ、動作、構成要素、部品、またはこれらを組合せたものの存在または付加可能性を予め排除するものではないと理解しなくてはならない。
【００３８】
以下、本発明による距離継電装置、距離継電処理システム及び距離継電処理方法の実施形態を添付図面を参照して詳しく説明し、添付図面を参照して説明するに当たって、同一であるか対応する構成要素には同一の図面番号を付し、これに対する重複説明は省略する。
【００３９】
図１は、本発明の一実施形態による距離継電処理システムを簡略に示すブロック図である。
【００４０】
図１を参照すると、距離継電処理システム１００は、落雷が発生して送電線路に故障が発生するとこれを感知して故障区間を遮断する。このために、距離継電処理システム１００は落雷管理装置２００及び距離継電装置３００を含む。
【００４１】
落雷管理装置２００は、距離継電装置３００に接続しており、落雷が発生すると落雷の発生した位置を感知する。そして、落雷管理装置２００は、感知した情報を用いて落雷統合情報を生成する。落雷管理装置２００は生成した落雷統合情報を距離継電装置３００に伝送する。このとき、落雷管理装置２００は、無線通信方式及び有線通信方式のうちの少なくとも一つの方式で落雷統合情報を距離継電装置３００に伝送することができる。落雷管理装置２００については、図２を参照して詳細に説明する。
【００４２】
距離継電装置３００は、落雷管理装置２００に接続しており、送電線路に故障が発生すると故障位置を判断する。距離継電装置３００は、判断した故障位置を用いて故障発生情報を生成する。距離継電装置３００は、落雷管理装置２００から受信した落雷統合情報及び故障発生情報を用いて故障分析情報を生成する。距離継電装置３００は、図３を参照して詳細に説明する。
【００４３】
図２は、本発明の一実施形態による距離継電処理システムの落雷管理装置を示すブロック図である。
【００４４】
図２を参照すると、落雷管理装置２００は、第１乃至第４落雷感知器２１３，２１５，２１７，２１９と、処理部２２０と、落雷感知記憶部２３０と、伝送部２４０と、を含む。
【００４５】
第１乃至第４落雷感知器２１３，２１５，２１７，２１９のそれぞれは多数位置に配置されて落雷が発生すると落雷を感知する。以下、第１乃至第４落雷感知器２１３，２１５，２１７，２１９を落雷感知器２１０と通称する。落雷感知器２１０は、感知領域に落雷が発生すると落雷を感知して落雷感知情報を生成する。そして、落雷感知器２１０は、生成した落雷感知情報を処理部２２０に提供する。このとき、落雷感知器２１０は、無線通信方式を用いて落雷感知情報を処理部２２０に提供してもよい。
【００４６】
図２には４つの落雷感知器２１０を示したが、これに限定されず、落雷感知器２１０の数に関係なく落雷を感知できれば本発明を実現することができる。
【００４７】
処理部２２０は、落雷を感知した少なくとも一つの落雷感知器２１０のそれぞれから落雷感知情報の提供を受ける。処理部２２０は、提供された落雷感知情報を分析し、演算して落雷統合情報を生成する。このとき、落雷統合情報は、落雷発生時間情報、落雷発生位置情報及び落雷電流の大きさ情報を含む。処理部２２０は、落雷統合情報を距離継電装置３００に伝送するよう伝送部２４０を制御する。
【００４８】
ここで、処理部２２０は、距離継電装置３００に伝送する情報の伝送時間を設定することができる。処理部２２０は、伝送部２４０を制御して伝送時間ごとに落雷統合情報を距離継電装置３００に伝送することができる。
【００４９】
一方、落雷が発生しなかった場合、処理部２２０は、落雷が発生しなかったという落雷未発生情報を生成して伝送時間ごとに伝送部を介して距離継電装置３００に伝送することができる。
【００５０】
落雷感知記憶部２３０は、落雷管理装置２００で生成されたデータを記憶する。具体的に、落雷感知記憶部２３０は、落雷感知器２１０で生成された落雷感知情報を記憶でき、処理部２２０で生成された落雷統合情報を記憶できる。また、落雷感知記憶部２３０は、処理部２２０及び伝送部２４０から要請されるデータを提供することができる。
【００５１】
伝送部２４０は、距離継電装置３００の受信部３３０に接続される。伝送部２４０は処理部２２０で生成された落雷統合情報を受信部３３０に伝送する。このとき、伝送部２４０は、無線で受信部３３０に接続されて無線通信方式で落雷統合情報を伝送してもよく、有線で受信部３３０に接続されて有線通信方式で落雷統合情報を伝送してもよい。
【００５２】
一方、伝送部２４０は、距離継電装置３００の受信部３３０に落雷未発生情報を伝送することもできる。
【００５３】
図３は、本発明の一実施形態による距離継電処理システムの距離継電装置を示すブロック図である。
【００５４】
図３を参照すると、距離継電装置３００は、第１乃至第４継電器３１３，３１５，３１７，３１９と、生成部３２０と、受信部３３０と、分析部３４０と、表示部３５０と、距離継電記憶部３６０と、を含む。
【００５５】
第１乃至第４継電器３１３，３１５，３１７，３１９は、それぞれに接続されている送電線路に故障が発生した場合、これを判断する。以下、第１乃至第４継電器３１３，３１５，３１７，３１９を継電器３１０と通称する。継電器３１０は、落雷によって送電線路に故障が発生した場合、故障した位置を判断して距離値を生成する。そして、継電器３１０は、距離値を生成部３２０に提供する。継電器３１０は無線通信方式で距離値を生成部３２０に提供してもよい。
【００５６】
図３には４つの継電器３１０を示したが、これに限定されず、継電器３１０の数に関係なく送電線路の故障を判断きれば本発明を実現することができる。
【００５７】
生成部３２０は、送電線路の故障を感知した複数の継電器３１０のそれぞれから距離値の提供を受ける。生成部３２０は距離値を分析し、演算して故障発生情報を生成する。ここで、故障発生情報は、送電故障時間情報及び送電故障位置情報を含む。
【００５８】
受信部３３０は、落雷管理装置２００の伝送部２４０に接続しており、落雷統合情報を受信する。このとき、受信部３３０は、落雷管理装置２００の伝送部２４０に有線で接続されて有線通信方式で落雷統合情報を受信してもよく、伝送部２４０に無線で接続されて無線通信方式で落雷統合情報を受信してもよい。一方、受信部３３０は、伝送部２４０から落雷未発生情報も受信することができる。
【００５９】
分析部３４０は、故障発生情報及び落雷統合情報を用いて故障分析情報を生成する。具体的に、分析部３４０は、故障発生情報及び落雷統合情報を比較して誤差値を生成する。分析部３４０は、故障発生情報から誤差値を除去して故障分析情報を生成する。このように、落雷統合情報を用いて故障分析情報を生成するので、従来の送電線路における故障位置の判断よりも正確な位置を判断することができる。
【００６０】
一方、分析部３４０は、継電器３１０から提供された距離値を用いて生成部で生成された故障発生情報を受け、受信部３３０から落雷未発生情報を受けた場合、落雷によって送電線路に故障が発生したわけではないため、落雷統合情報を用いずに故障発生情報のみを用いて故障分析情報を生成することもできる。
【００６１】
表示部３５０は、落雷により送電線路が故障した場合に、故障位置及び時間を含む故障分析情報を表示する。このとき、使用者は、表示部３５０を介して故障位置及び時間を確認することができ、これを用いて送電線路に発生した故障に対処することができる。
【００６２】
距離継電記憶部３６０は距離継電のために必要なデータ及び距離継電のために生成されたデータを記憶する。すなわち、距離継電記憶部３６０は、継電器３１０で判断された距離値を記憶でき、生成部３２０で生成された故障発生情報を記憶できる。距離継電記憶部３６０は、受信部３３０から受信された落雷統合情報を記憶でき、分析部３４０で生成された誤差値及び故障分析情報を記憶できる。また、距離継電記憶部３６０は、生成部３２０、分析部３４０及び表示部３５０の要請による必要とされるデータを提供する。
【００６３】
以下では、本発明による距離継電を処理する方法について、図４を参照して簡略に説明する。
【００６４】
図４は、本発明の一実施形態による距離継電処理方法を簡略に示すフローチャートである。
【００６５】
図４を参照すると、先ず、ステップＳ４１０で、落雷が発生して送電線路に故障が発生する。送電線路に故障が発生すると、距離継電処理システム１００は、ステップＳ４３０で、送電線路の故障位置を判断する。すなわち、距離継電処理システム１００の距離継電装置３００は、継電器３１０を用いて送電線路の故障位置を判断し、故障発生情報を生成する。
【００６６】
落雷が発生すると、距離継電処理システム１００は、ステップＳ４５０で、落雷を感知する。具体的に、距離継電処理システム１００の落雷管理装置２００は、落雷感知器２１０を用いて落雷を感知し、落雷統合情報を生成する。そして、落雷管理装置２００は、落雷統合情報を距離継電装置３００に伝送する。
【００６７】
ステップＳ４７０で、距離継電処理システム１００は、故障発生情報及び落雷統合情報を用いて故障分析情報を生成する。すなわち、距離継電処理システム１００の距離継電装置３００は、送電線路の故障位置を判断した故障発生情報と落雷管理装置２００から受信した落雷統合情報とを用いて故障分析情報を生成する。
【００６８】
以下に、本発明による距離継電を処理する方法について図５を参照して詳細に説明する。
【００６９】
図５は、本発明の一実施形態による距離継電処理方法を詳細に示すフローチャートである。
【００７０】
図５を参照すると、先ず、ステップＳ５１１で、距離継電処理システム１００の距離継電装置３００は、送電線路の故障位置を判断する。具体的に、距離継電装置３００に含まれている第１乃至第４継電器３１３，３１５，３１７，３１９中、故障が発生した送電線路に接続された少なくとも一つの継電器３１０は、送電線路の故障位置を判断して距離値を生成する。
【００７１】
ステップＳ５１３で、距離継電処理システム１００の距離継電装置３００は、判断した故障位置を用いて故障発生情報を生成する。すなわち、距離継電装置３００の生成部３２０は、継電器３１０のそれぞれから提供された距離値を分析し、演算して故障発生情報を生成する。このとき、故障発生情報は送電故障時間情報及び送電故障位置情報を含み、送電故障時間情報は、送電線路に故障が発生した時間情報であり、送電故障位置情報は、送電線路に故障が発生した位置情報である。
【００７２】
距離継電処理システム１００の落雷管理装置２００は、ステップＳ５１５で落雷を感知し、ステップＳ５１７で落雷感知情報を生成する。すなわち、落雷管理装置２００に含まれた第１乃至第４落雷感知器２１０中、落雷を感知した少なくとも一つの落雷感知器２１０は、落雷感知情報を生成する。落雷感知器２１０は、生成された落雷感知情報を落雷管理装置２００の処理部２２０に伝送する。
【００７３】
ステップＳ５１９で、距離継電処理システム１００の落雷管理装置２００は、落雷感知情報を用いて落雷統合情報を生成する。具体的に、落雷管理装置２００の処理部２２０は、落雷を感知した少なくとも一つの落雷感知器２１０のそれぞれから提供される落雷感知情報を分析し、演算して落雷統合情報を生成する。例えば、処理部２２０は、複数の落雷感知器２１０と距離継電処理システム１００との間の距離及び複数の落雷感知情報が受信された時間を用いて落雷が発生した時間を判断し、複数の落雷感知情報に含まれた位置情報を用いて落雷が発生した位置を判断して落雷統合情報を生成することができる。このとき、落雷統合情報は、落雷発生時間情報、落雷発生位置情報及び落雷電流大きさの情報を含む。
【００７４】
ステップＳ５２１で、距離継電処理システム１００の落雷管理装置２００は、落雷統合情報を伝送する。すなわち、落雷管理装置２００の伝送部２４０は、処理部２２０で生成された落雷統合情報を距離継電装置３００の受信部３３０に伝送する。このとき、距離継電装置３００の受信部３３０は、落雷管理装置２００の伝送部２４０から落雷統合情報を受信する。
【００７５】
ステップＳ５２３で、距離継電処理システム１００の距離継電装置３００は、故障発生情報と落雷統合情報とを比較する。距離継電装置３００の分析部３４０は、生成部３２０で生成された故障発生情報と受信部３３０から提供される落雷統合情報とを比較して誤差値を生成する。このように、故障発生情報と落雷統合情報とを比較する理由は、送電線路に故障が発生すると、自回線及び他回線の相互作用により、継電器３１０にて判断した故障発生情報に誤差が生じ得るため、故障した送電線路の正確な位置を判断するためである。
【００７６】
ステップＳ５２５で、距離継電処理システム１００の距離継電装置３００は、故障分析情報を生成する。距離継電装置３００の分析部３４０は、故障発生情報から誤差値を除去して故障分析情報を生成する。このとき、故障分析情報は、落雷によって故障した送電線路の位置及び時間を示す落雷送電故障位置情報及び落雷送電故障時間情報を含む。
【００７７】
その後、距離継電処理システム１００の表示部３５０は、送電線路の故障位置及び時間を示す故障分析情報を表示する。
【００７８】
本発明による距離継電処理方法について、図６の例示図を参照して説明する。
図６は、本発明の一実施形態による距離継電処理システムの落雷感知器及び継電器を示す例示図である。
【００７９】
図６に示すように、落雷が発生して送電線路４００における参照番号３５０に故障が発生したことを例に挙げて説明する。
【００８０】
落雷が発生したため、第１及び第２落雷感知器２１３，２１５のそれぞれは落雷を感知し、第１及び第２落雷感知情報ｌ１，ｌ２を生成する。第１及び第２落雷感知器２１３，２１５は、落雷管理装置２００の処理部２２０に第１及び第２落雷感知情報ｌ１，ｌ２を提供する。処理部２２０は、第１及び第２落雷感知情報ｌ１，ｌ２を用いて落雷が発生した位置３５０、時間及び落雷の大きさを判断して落雷統合情報を生成する。このとき、落雷統合情報は、第１及び第２落雷感知器２１３，２１５で落雷を感知し、生成した情報であるため、落雷が発生した位置３５０を正確に確認することができる。
【００８１】
送電線路４００に故障が発生したため、第１及び第２継電器３１３，３１５は、故障が発生した位置３７０を判断して第１及び第２距離値ｄ１、ｄ２を生成する。しかし、第１継電器３１３は、自回線及び他回線の相互作用により判断したインピーダンスの大きさを故障位置までのインピーダンスよりも小さく判断して第１距離値ｄ１を生成し、第２継電器３１５は、自回線及び他回線の相互作用により判断したインピーダンスの大きさを故障位置までのインピーダンスよりも大きく判断して第２距離値ｄ２を生成する。
【００８２】
生成部３２０は、第１及び第２継電器３１３，３１５から提供された第１及び第２距離値ｄ１、ｄ２を用いて故障発生情報３７０を生成する。このように、生成された故障発生情報３７０には、実質的に故障の発生した位置ではなく、自回線及び他回線の相互作用によりずれた位置情報が含まれることになる。
【００８３】
以後、分析部３４０は、落雷統合情報及び故障発生情報３７０を比較して誤差値ｅを生成する。そして、分析部３４０は、故障発生情報から誤差値ｅを除去して実質的に故障が発生した位置３５０を含む故障分析情報を生成する。
【００８４】
したがって、本発明による距離継電処理システム１００は、落雷管理装置２００から提供される落雷統合情報を用いるので、位置ずれが発生した送電線路の位置を正確で迅速に判断することができる。
本発明の実施形態による距離継電処理方法は、多様なコンピューター手段を通じて行われ得るプログラムの命令形態で具体化され、コンピューター読み取り可能な媒体に記録されることができる。コンピューター読み取り可能な媒体は、プログラム命令、データファイル、データ構造などを、単独でまたは組み合わせて含むことができる。
コンピューター読み取り可能な媒体に記録されるプログラム命令は、本発明のために特別に設計されて構成されたものであるか、コンピューターソフトウェア分野の当業者に公知ものを使用することができる。コンピューター読み取り可能な記録媒体の例としては、ハードディスク、フロッピィーディスク及び磁気テープのような磁気媒体（ｍａｇｎｅｔｉｃ  ｍｅｄｉａ）、ＣＤ−ＲＯＭ、ＤＶＤのような光記録媒体（ｏｐｔｉｃａｌ  ｍｅｄｉａ）、フロプティカルディスク（ｆｌｏｐｔｉｃａｌ  ｄｉｓｋ）のような磁気-光媒体（ｍａｇｎｅｔｏ−ｏｐｔｉｃａｌ  ｍｅｄｉａ）及びロム（ＲＯＭ）、ラム（ＲＡＭ）、フラッシュメモリーなどのようなプログラム命令を記憶して行うよう特別に構成されたハードウェア装置が含まれる。また、上記媒体はプログラム命令、データ構造などを指定する信号を伝送する搬送波を含む、光または金属線、導波管などの伝送媒体を含む。プログラム命令の例としては、コンパイラにより作られるような機械語コードだけではなく、インタープリターなどを使用して、コンピューターにより実行できる高級言語コードを含むことができる。上記のハードウェア装置は、本発明の動作を行うために、一つ以上のソフトウェアモジュールとして作動するように構成でき、その逆も同様である。
【００８５】
以上、本発明の好ましい実施形態を挙げて説明したが、本発明はこれらの実施形態に限定されるものではなく、本発明の属する技術分野で通常の知識を有する者が、特許請求の範囲に記載した本発明の技術的思想及び趣旨から外れない範囲で本発明を多様に変更、実施することができる。
【符号の説明】
【００８６】
１００  距離継電処理システム
２００  落雷管理装置
２１３，２１５，２１７，２１９  落雷感知器
２２０  処理部
２４０  伝送部
３００  距離継電装置
３１３，３１５，３１７，３１９  継電器
３２０  生成部
３３０  受信部
３４０  分析部
３５０  表示部
【図１】
2011078303.tif 000003
【図２】
2011078303.tif 000004
【図３】
2011078303.tif 000005
【図４】
2011078303.tif 000006
【図５】
2011078303.tif 000007
【図６】
2011078303.tif 000008